(57)【特許請求の範囲】
【請求項１】
被写体を撮影し、該被写体を示す画像信号を取得する撮影手段と、
プリント範囲を示す枠を指定する枠指定手段であって、該枠の大きさ及びアスペクト比のうちの少なくともアスペクト比を変更可能に指定する枠指定手段と、
撮影時に前記枠指定手段によって指定された枠を被写体像に重ねて表示させる手段と、
前記撮影手段によって取得した画像信号であって、枠のない被写体像の全範囲を示す画像信号とともに、前記枠指定手段によって指定された枠の情報をカメラ本体から着脱可能な記録メディアに記録する記録手段と、を備え、
前記枠指定手段は、各種の証明写真のうちのいずれかの証明写真を選択することにより、該選択した証明写真と同じアスペクト比の枠を指定することを特徴とする電子カメラ。
【請求項２】
被写体を撮影し、該被写体を示す画像信号を取得する撮影手段と、
プリント範囲を示す枠を指定する枠指定手段であって、該枠の大きさ及びアスペクト比のうちの少なくともアスペクト比を変更可能に指定する枠指定手段と、
撮影時に前記枠指定手段によって指定された枠を被写体像に重ねて表示させる手段と、
前記撮影手段によって取得した画像信号であって、枠のない被写体像の全範囲を示す画像信号とともに、前記枠指定手段によって指定された枠の情報をカメラ本体から着脱可能な記録メディアに記録する記録手段と、を備え、
前記枠は、カメラを横又は縦に構えることが可能なカメラを横に構えた状態で縦長となる枠であることを特徴とする電子カメラ。
【請求項３】
前記記録メディアに記録された画像信号に基づいて画像をモニタに表示させる再生手段と、前記記録メディアに記録された枠の情報に基づいて枠を発生する枠発生手段と、前記モニタに表示された画像に前記枠を合成する枠合成手段とを有することを特徴とする請求項１又は２に記載の電子カメラ。
【請求項４】
前記モニタに表示される画像と枠とを相対的に移動させる手段を有することを特徴とする請求項３の電子カメラ。
【請求項５】
被写体を撮影し、該被写体を示す画像信号を取得する撮影手段と、
プリント範囲を示す枠を指定する枠指定手段であって、該枠の大きさ及びアスペクト比のうちの少なくともアスペクト比を変更可能に指定する枠指定手段と、
撮影時に前記枠指定手段によって指定された枠を被写体像に重ねて表示させる手段と、
前記枠指定手段によって指定された枠内の画像のみが所定の大きさの画像としてプリントされるように前記撮影手段によって取得した画像信号を処理する画像処理手段と、
前記画像処理手段によって処理された画像信号をプリンタに出力するプリント制御手段と、を備え、
前記枠指定手段は、各種の証明写真のうちのいずれかの証明写真を選択することにより、該選択した証明写真と同じアスペクト比の枠を指定することを特徴とする電子カメラ。
【請求項６】
被写体を撮影し、該被写体を示す画像信号を取得する撮影手段と、
プリント範囲を示す枠を指定する枠指定手段であって、該枠の大きさ及びアスペクト比のうちの少なくともアスペクト比を変更可能に指定する枠指定手段と、
撮影時に前記枠指定手段によって指定された枠を被写体像に重ねて表示させる手段と、
前記枠指定手段によって指定された枠内の画像のみが所定の大きさの画像としてプリントされるように前記撮影手段によって取得した画像信号を処理する画像処理手段と、
前記画像処理手段によって処理された画像信号をプリンタに出力するプリント制御手段と、を備え、
前記枠は、カメラを横又は縦に構えることが可能なカメラを横に構えた状態で縦長となる枠であることを特徴とする電子カメラ。
【請求項７】
前記枠を被写体像に重ねて表示させる手段は、前記枠指定手段によって指定された枠を発生する枠発生手段と、前記撮影手段からの画像信号に基づいてモニタに表示された画像に前記枠を合成する枠合成手段とを有することを特徴とする請求項１から６のいずれかに記載の電子カメラ。
【請求項８】
前記画像処理手段は、前記枠指定手段によって選択した証明写真と同じアスペクト比及び大きさの画像としてプリントされるように前記撮影手段によって取得した画像信号を処理することを特徴とする請求項５又は６に記載の電子カメラ。
【請求項９】
前記枠指定手段は、ビザ用の証明写真、パスポート用の証明写真、履歴書用の証明写真、自動車運転免許用の証明写真等の種々の証明写真のうちの少なくとも２以上の証明写真からいずれかの証明写真を選択することを特徴とする請求項１乃至８のいずれかに記載の電子カメラ。
【請求項１０】
被写体を撮影し、該被写体を示す画像信号を取得する撮影手段と、
プリント範囲を示す枠を指定する枠指定手段であって、該枠の大きさ及びアスペクト比のうちの少なくともアスペクト比を変更可能に指定する枠指定手段と、
撮影時に前記枠指定手段によって指定された枠を被写体像に重ねて表示させる手段と、
前記撮影手段によって取得した画像信号であって、枠のない被写体像の全範囲を示す画像信号とともに、前記枠指定手段によって指定された枠の情報をカメラ本体から着脱可能な記録メディアに記録する記録手段と、
前記記録メディアに記録された画像信号に基づいて画像をモニタに表示させる再生手段と、
前記記録メディアに記録された枠の情報に基づいて枠を発生する枠発生手段と、
前記モニタに表示された画像に前記枠を合成する枠合成手段と、
前記枠内の画像のみが所定の大きさの画像としてプリントされるように前記記録メディアに記録された画像信号を処理する画像処理手段と、
前記画像処理手段によって処理された画像信号をプリンタに出力するプリント制御手段と、を備え、
前記枠指定手段は、各種の証明写真のうちのいずれかの証明写真を選択することにより、該選択した証明写真と同じアスペクト比の枠を指定することを特徴とするカメラシステム。
【請求項１１】
被写体を撮影し、該被写体を示す画像信号を取得する撮影手段と、
プリント範囲を示す枠を指定する枠指定手段であって、該枠の大きさ及びアスペクト比のうちの少なくともアスペクト比を変更可能に指定する枠指定手段と、
撮影時に前記枠指定手段によって指定された枠を被写体像に重ねて表示させる手段と、
前記撮影手段によって取得した画像信号であって、枠のない被写体像の全範囲を示す画像信号とともに、前記枠指定手段によって指定された枠の情報をカメラ本体から着脱可能な記録メディアに記録する記録手段と、
前記記録メディアに記録された画像信号に基づいて画像をモニタに表示させる再生手段と、
前記記録メディアに記録された枠の情報に基づいて枠を発生する枠発生手段と、
前記モニタに表示された画像に前記枠を合成する枠合成手段と、
前記枠内の画像のみが所定の大きさの画像としてプリントされるように前記記録メディアに記録された画像信号を処理する画像処理手段と、
前記画像処理手段によって処理された画像信号をプリンタに出力するプリント制御手段と、を備え、
前記枠は、カメラを横又は縦に構えることが可能なカメラを横に構えた状態で縦長となる枠であることを特徴とするカメラシステム。
【請求項１２】
前記枠は、カメラを横又は縦に構えることが可能なカメラを横に構えた状態で縦長となる枠である請求項１又は５に記載の電子カメラ。
【発明の詳細な説明】
【０００１】
【発明の属する技術分野】
本発明は電子カメラ及びプリント制御装置に係り、特にプリント出力する範囲（枠）を設定して撮影し、該枠内の画像のみをプリント可能にする電子カメラ及びプリント制御装置に関する。
【０００２】
【従来の技術】
従来、電子ズーム機能を有するビデオカメラにおいて、電子ビューファインダには実際に記録される範囲（記録範囲）よりも広い範囲（モニタ範囲）を表示するとともに、前記記録範囲とモニタ範囲とを識別できるように両者の濃度を変えて表示するようにしたビデオカメラが提案されている（特開平４−２３３８７２号公報）。これにより、実際に記録しようとする被写体の周囲の状況も把握できるようにしている。
【０００３】
また、電子ズーム機能と光学ビューファインダとを有するビデオカメラにおいて、前記光学ビューファインダ内に透明な液晶パネルを設け、電子ズームの倍率に応じて前記液晶パネルに画枠を表示するようにしたビデオカメラが提案されている（特開平５−２６０３５２号公報）。
【０００４】
【発明が解決しようとする課題】
しかしながら、上記従来のビデオカメラは、電子ビューファインダに表示されるモニタ範囲よりも狭い記録範囲や、光学ビューファインダに表示されるファインダ視野よりも狭い画枠の領域（即ち、電子ズームされる領域）のみが記録メディアに記録されるため、電子ズームされた領域以外の画像の再生やプリントができないという問題がある。即ち、再生画像をプリントする場合に、電子ズームされた領域を越えてプリント位置の調整等ができないという問題がある。
【０００５】
一方、各種の証明写真を撮る場合には、証明写真の種類に応じたアスペクト比及び大きさに適合するように撮る必要があるが、証明写真専用機以外のカメラ等で写真を撮り且つプリントする場合には、所望の写真が得られないという問題がある。更に、証明写真の種類に応じたアスペクト比及び大きさに写真をカットするのは難しいという問題がある。
【０００６】
本発明はこのような事情に鑑みてなされたもので、撮影前にプリントされる範囲を明確に知らせることができ、また、そのプリント範囲内の画像のみが所定の大きさの画像としてプリントされるようにプリント出力することができる電子カメラを提供することを目的とする。
【０００７】
また、本発明は、プリント前にプリントされる範囲を明確に知らせることができるとともにプリントのサイズやアスペクト比を設定でき、また、撮影時に設定したプリント範囲にかかわらず、プリント位置やサイズを適宜設定又は調整したプリント範囲内の画像のみが所定の大きさの画像としてプリントされるようにプリント出力することができるプリント制御装置を提供することを目的とする。
【０００８】
【課題を解決するための手段】
前記目的を達成するために、本願請求項１に係る電子カメラは、被写体を撮影し、該被写体を示す画像信号を取得する撮影手段と、プリント範囲を示す枠を指定する枠指定手段であって、該枠の大きさ及びアスペクト比のうちの少なくともアスペクト比を変更可能に指定する枠指定手段と、撮影時に前記枠指定手段によって指定された枠を被写体像に重ねて表示させる手段と、前記撮影手段によって取得した画像信号であって、枠のない被写体像の全範囲を示す画像信号とともに、前記枠指定手段によって指定された枠の情報をカメラ本体から着脱可能な記録メディアに記録する記録手段と、を備え、前記枠指定手段は、各種の証明写真のうちのいずれかの証明写真を選択することにより、該選択した証明写真と同じアスペクト比の枠を指定することを特徴としている。即ち、枠指定手段によって適宜指定された枠を被写体像に重ねて表示させることができるため、撮影前にプリント範囲を明確に認識することができ、これにより適切な構図等の設定が可能になる。
【０００９】
前記目的を達成するために、本願請求項２に係る電子カメラは、被写体を撮影し、該被写体を示す画像信号を取得する撮影手段と、プリント範囲を示す枠を指定する枠指定手段であって、該枠の大きさ及びアスペクト比のうちの少なくともアスペクト比を変更可能に指定する枠指定手段と、撮影時に前記枠指定手段によって指定された枠を被写体像に重ねて表示させる手段と、前記撮影手段によって取得した画像信号であって、枠のない被写体像の全範囲を示す画像信号とともに、前記枠指定手段によって指定された枠の情報をカメラ本体から着脱可能な記録メディアに記録する記録手段と、を備え、前記枠は、カメラを横又は縦に構えることが可能なカメラを横に構えた状態で縦長となる枠であることを特徴としている。即ち、枠指定手段によって適宜指定された枠を被写体像に重ねて表示させることができるため、撮影前にプリント範囲を明確に認識することができ、これにより適切な構図等の設定が可能になる。また一般にカメラは、横位置撮影に適した構造となっており、縦位置撮影は操作しづらいが、本願請求項２に係る発明によれば、縦長の画像を撮影、プリントする場合でもカメラを横に構えたまま撮影を行うことができ、特に大型のカメラに有効である。
【００１０】
前記電子カメラは、本願請求項３に示すように更に前記記録メディアに記録された画像信号に基づいて画像をモニタに表示させる再生手段と、前記記録メディアに記録された枠の情報に基づいて枠を発生する枠発生手段と、前記モニタに表示された画像に前記枠を合成する枠合成手段とを有することを特徴としている。前記記録メディアには、枠のない被写体像の全範囲を示す画像信号が記録されているが、この画像信号とともに枠の情報に基づいて撮影時に設定した枠が合成された画像をモニタに表示させることができる。
【００１１】
前記電子カメラは、本願請求項４に示すように前記モニタに表示される画像と枠とを相対的に移動させる手段を有することを特徴としている。
【００１２】
本願請求項５に係る電子カメラは、被写体を撮影し、該被写体を示す画像信号を取得する撮影手段と、プリント範囲を示す枠を指定する枠指定手段であって、該枠の大きさ及びアスペクト比のうちの少なくともアスペクト比を変更可能に指定する枠指定手段と、前記枠指定手段によって指定された枠を被写体像に重ねて表示させる手段と、前記枠指定手段によって指定された枠内の画像のみが所定の大きさの画像としてプリントされるように前記撮影手段によって取得した画像信号を処理する画像処理手段と、前記画像処理手段によって処理された画像信号をプリンタに出力するプリント制御手段と、を備え、前記枠指定手段は、各種の証明写真のうちのいずれかの証明写真を選択することにより、該選択した証明写真と同じアスペクト比の枠を指定することを特徴としている。即ち、枠指定手段によって適宜指定された枠を被写体像に重ねて表示させることができるため、撮影前にプリント範囲を明確に認識することができ、これにより適切な構図等の設定が可能になる。また、枠内の画像のみが所定の大きさの画像としてプリントされるようにトリミング及び電子ズーム等の処理を施した画像信号をプリンタ出力することができる。
【００１３】
本願請求項６に係る電子カメラは、被写体を撮影し、該被写体を示す画像信号を取得する撮影手段と、プリント範囲を示す枠を指定する枠指定手段であって、該枠の大きさ及びアスペクト比のうちの少なくともアスペクト比を変更可能に指定する枠指定手段と、前記枠指定手段によって指定された枠を被写体像に重ねて表示させる手段と、前記枠指定手段によって指定された枠内の画像のみが所定の大きさの画像としてプリントされるように前記撮影手段によって取得した画像信号を処理する画像処理手段と、前記画像処理手段によって処理された画像信号をプリンタに出力するプリント制御手段と、を備え、前記枠は、カメラを横又は縦に構えることが可能なカメラを横に構えた状態で縦長となる枠であることを特徴としている。即ち、枠指定手段によって適宜指定された枠を被写体像に重ねて表示させることができるため、撮影前にプリント範囲を明確に認識することができ、これにより適切な構図等の設定が可能になる。また、枠内の画像のみが所定の大きさの画像としてプリントされるようにトリミング及び電子ズーム等の処理を施した画像信号をプリンタ出力することができる。また一般にカメラは、横位置撮影に適した構造となっており、縦位置撮影は操作しづらいが、本願請求項５に係る発明によれば、縦長の画像を撮影、プリントする場合でもカメラを横に構えたまま撮影を行うことができ、特に大型のカメラに有効である。
【００１４】
本願請求項７に示すように前記枠を被写体像に重ねて表示させる手段は、前記枠指定手段によって指定された枠を発生する枠発生手段と、前記撮影手段からの画像信号に基づいてモニタに表示された画像に前記枠を合成する枠合成手段とを有することを特徴としている。
【００１５】
前記画像処理手段は、本願請求項８に示すように前記枠指定手段によって選択した証明写真と同じアスペクト比及び大きさの画像としてプリントされるように前記撮影手段によって取得した画像信号を処理することを特徴としている。これにより、プリントされた写真をそのプリントされた範囲に沿ってカットすることにより所望のアスペクト比及び大きさの証明写真を得ることができる。
【００１６】
前記枠指定手段は、本願請求項９に示すようにビザ用の証明写真、パスポート用の証明写真、履歴書用の証明写真、自動車運転免許用等の種々の証明写真のうちの少なくとも２以上の証明写真からいずれかの証明写真を選択することを特徴としている。
【００１８】
本願請求項１０に係るカメラシステムは、被写体を撮影し、該被写体を示す画像信号を取得する撮影手段と、プリント範囲を示す枠を指定する枠指定手段であって、該枠の大きさ及びアスペクト比のうちの少なくともアスペクト比を変更可能に指定する枠指定手段と、撮影時に前記枠指定手段によって指定された枠を被写体像に重ねて表示させる手段と、前記撮影手段によって取得した画像信号であって、枠のない被写体像の全範囲を示す画像信号とともに、前記枠指定手段によって指定された枠の情報をカメラ本体から着脱可能な記録メディアに記録する記録手段と、前記記録メディアに記録された画像信号に基づいて画像をモニタに表示させる再生手段と、前記記録メディアに記録された枠の情報に基づいて枠を発生する枠発生手段と、前記モニタに表示された画像に前記枠を合成する枠合成手段と、前記枠内の画像のみが所定の大きさの画像としてプリントされるように前記記録メディアに記録された画像信号を処理する画像処理手段と、前記画像処理手段によって処理された画像信号をプリンタに出力するプリント制御手段と、を備え、前記枠指定手段は、各種の証明写真のうちのいずれかの証明写真を選択することにより、該選択した証明写真と同じアスペクト比の枠を指定することを特徴としている。
【００１９】
即ち、枠指定手段によって適宜指定された枠を被写体像に重ねて表示させることができるため、撮影前にプリント範囲を明確に認識することができ、これにより適切な構図等の設定が可能になる。また、再生時の撮影時のトリミング範囲を確認することができるとともに、撮影時に設定した枠内の画像のみが所定の大きさの画像としてプリントされるようにトリミング及び電子ズーム等の処理を施した画像信号をプリンタ出力することができる。
【００２０】
本願請求項１１に係るカメラシステムは、被写体を撮影し、該被写体を示す画像信号を取得する撮影手段と、プリント範囲を示す枠を指定する枠指定手段であって、該枠の大きさ及びアスペクト比のうちの少なくともアスペクト比を変更可能に指定する枠指定手段と、撮影時に前記枠指定手段によって指定された枠を被写体像に重ねて表示させる手段と、前記撮影手段によって取得した画像信号であって、枠のない被写体像の全範囲を示す画像信号とともに、前記枠指定手段によって指定された枠の情報をカメラ本体から着脱可能な記録メディアに記録する記録手段と、前記記録メディアに記録された画像信号に基づいて画像をモニタに表示させる再生手段と、前記記録メディアに記録された枠の情報に基づいて枠を発生する枠発生手段と、前記モニタに表示された画像に前記枠を合成する枠合成手段と、前記枠内の画像のみが所定の大きさの画像としてプリントされるように前記記録メディアに記録された画像信号を処理する画像処理手段と、前記画像処理手段によって処理された画像信号をプリンタに出力するプリント制御手段と、を備え、前記枠は、カメラを横又は縦に構えることが可能なカメラを横に構えた状態で縦長となる枠であることを特徴としている。
【００２１】
即ち、枠指定手段によって適宜指定された枠を被写体像に重ねて表示させることができるため、撮影前にプリント範囲を明確に認識することができ、これにより適切な構図等の設定が可能になる。また一般にカメラは、横位置撮影に適した構造となっており、縦位置撮影は操作しづらいが、本願請求項１１に係る発明によれば、縦長の画像を撮影、プリントする場合でもカメラを横に構えたまま撮影を行うことができ、特に大型のカメラに有効である。また、再生時の撮影時のトリミング範囲を確認することができるとともに、撮影時に設定した枠内の画像のみが所定の大きさの画像としてプリントされるようにトリミング及び電子ズーム等の処理を施した画像信号をプリンタ出力することができる。
【００２２】
前記枠は、本願請求項１２に示すようにカメラを横又は縦に構えることが可能なカメラを横に構えた状態で縦長となる枠である。一般にカメラは、横位置撮影に適した構造となっており、縦位置撮影は操作しづらいが、本願請求項１２に係る発明によれば、縦長の画像を撮影、プリントする場合でもカメラを横に構えたまま撮影を行うことができ、特に大型のカメラに有効である。
【００２６】
【発明の実施の形態】
以下添付図面に従って本発明に係る電子カメラ及びプリント制御装置の好ましい実施の形態について詳説する。
【００２７】
図１は本発明に係る電子カメラの実施の形態を示す外観斜視図である。電子カメラ１の正面中央部には撮影レンズ２の組み込まれた鏡胴３が取付けられ、撮影レンズ２の上方にはストロボ窓４、ファインダ窓５が形成されている。また、ファインダ窓の右側にはＡＦ（オートフォーカス）投光窓６、ＡＦ受光窓７が上下に並んで設けられている。尚、符号８はストロボ調光センサーである。
【００２８】
前記撮影レンズ２はズームレンズで構成され、電子カメラ１背面に設けられたズームレバー２０（図２参照）の操作に応じて駆動される図示せぬモータの駆動力によって焦点距離を9.2 ｍｍ〜25.8（35ｍｍカメラ換算で35ｍｍ〜105 ｍｍ相当）に変更できるようになっている。また、ファインダ窓５の内側には、詳しくは図示されていないが、対物系レンズを構成する移動レンズ群が配置され、撮影レンズ２の焦点距離の変更に連動して前記移動レンズが駆動されるズームファインダが構成される。更に、×２モードに設定することにより、２倍の電子ズームを行うことができる。即ち、光学ズームと電子ズームとによって最大６倍ズームまで可能になっている。
【００２９】
前記ＡＦ投光窓６の内側には赤外線発光ダイオード等の投光手段が設けられ、前記ＡＦ受光窓７の内側にはフォトダイオード等の受光素子を含む受光手段が配設される。これら投光手段と受光手段とで被写体までの距離を測定する測距部が構成される。この測距部（ＡＦ部）は、例えば三角測量の原理に基づいて被写体までの距離を求め、その結果はオートフォーカス（ＡＦ）制御に利用される。
【００３０】
電子カメラ１の上面にはシャッタボタン９、モードダイヤル１０、アップ／ダウンダイヤル１１、アクセサリーシュー１２、液晶表示パネル１３が設けられ、液晶表示パネル１３の左側部には、前から順にサイズ切替えボタン１４、消去ボタン１５、プリントボタン１６が並んで設けられている。
【００３１】
モードダイヤル１０は、正／逆両方向に回動自在に設けられ、ダイヤルの設定位置によって電子カメラ１の機能を変更できる。例えば、回転操作のクリック停止位置毎に「ＯＦＦ」−「ＡＵＴＯ」−「ＳＥＴＵＰ」−「Ｐ」−「Ｓ」−「Ａ」−「Ｍ」−「ＰＣ」−「ＰＬＡＹ」と９段階に順にモードが変更され、「ＰＬＡＹ」の次には「ＯＦＦ」に戻ってダイヤルが１回転する。
【００３２】
「ＯＦＦ」モードは電子カメラ１を使用しない場合に設定する位置であり、このモード下では電子カメラ１の電源がＯＦＦされる。「ＡＵＴＯ」は、自動撮影を行う場合に設定されるモードであり、このモード下ではＡＦ及びＡＥ（自動露出制御）が有効に機能し、撮影者はシャッタボタン９を押すだけで、他に特別な操作をすることなく撮影を行うことができる。「ＳＥＴＵＰ」は、日付、時刻、感度補正、圧縮モード、カラー／白黒等の各種設定を行うためのモードであり、このモード下で設定すべき項目毎に液晶表示パネルの表示を確認しながらアップ／ダウンダイヤル１１及び後述するセットボタン２３（図２）を操作して所望の設定入力を行う。
【００３３】
「Ｐ」はプログラムＡＥ、「Ｓ」はシャッタ優先、「Ａ」は絞り優先、「Ｍ」はマニュアル露出の撮影モード設定を行う位置である。これらの各撮影モードにおけるプログラム選択、シャッタ速度設定、絞り値設定等は、アップ／ダウンダイヤル１１及びセットボタン２３を操作して所望の入力を行う。
【００３４】
「ＰＣ」は電子カメラ１とパソコンを専用ケーブルで接続して画像データの送受信を行うモードである。「ＰＬＡＹ」は撮影済の画像を再生する時に設定するモードである。
【００３５】
サイズ切替えボタン１４は、各種の証明写真のプリントサイズの設定及び切替えを行う際に使用されるボタンであり、消去ボタン１５はメモリーカードに記憶された画像データの消去を指令する際に使用されるボタンである。また、液晶表示パネル１３は、選択されたプリントサイズ表示、各種スイッチの状態、バッテリー残量、メモリーの使用状況等を表示する。尚、液晶表示パネル１３に表示されるプリントサイズ表示等の詳細については後述する。
【００３６】
図２には、図１に示した電子カメラの背面斜視図が示されている。電子カメラ１の背面にはズームレバー２０が設けられており、このズームレバー２０を上又は下方向に操作することで撮影レンズ２の焦点距離を長焦点側（テレ）又は短焦点側（ワイド）に変更することができる。カメラ背面左上隅部にはファインダの接眼部２２が形成され、該接眼部２２から撮影画角と略等しい視野を観察することができるようになっている。
【００３７】
ファインダの接眼部２２の左横には、セットボタン２３及びシーン数切替えボタン２４が上下に並んで設けられている。セットボタン２３は前述のようにアップ／ダウンダイヤル１１と組み合わせて各種入力設定時に用いられる。また、シーン数切替えボタン２４は、１シーンプリント又は２シーンプリントを切り替える際に使用されるボタンである。
【００３８】
図２中電子カメラ１の右側面部分には、メモリーカードカバー２５がヒンジ２６を介して開閉自在に設けられている。電子カメラ１の内部にはメモリーカードの装填室が形成されており、前記メモリーカードカバー２５を開放して電子カメラ１内にメモリーカードを挿入し、又は電子カメラ１からメモリーカードを取り出すことができるようになっている。電子カメラ１背面中央部には透明なメモリーカード確認窓２７が形成されており、該確認窓２７を介して電子カメラ１内にメモリーカードが装填されているか否かを確認できる。
【００３９】
図３は、図１に示した電子カメラの底面を示す斜視図である。
【００４０】
電子カメラ１の底面には後述の拡張ユニット４０と電気的な接続を行うための拡張端子３０、三脚用ネジ穴３２、及びユニット取付け穴３４が設けられている。三脚用ネジ穴３２は拡張ユニットの固定ネジ穴として兼用され、ユニット取付け穴３４は拡張ユニット側に形成されたＬ字状のフック（図４参照）が係合可能なように内部がＬ字状に形成されている。
【００４１】
また、電子カメラ１の底面には、バッテリーカバー３６がヒンジ３７を介して開閉自在に設けられており、該バッテリーカバー３６上に形成されたバッテリーカバーオープンつまみ３８を操作してバッテリーカバー３６を開放することによって電池を交換出来るようになっている。
【００４２】
図４は、図１に示した電子カメラの底面に組付けられる拡張ユニットの外観斜視図である。尚、図４には、拡張ユニット４０の背面側から見た様子が示されている。
【００４３】
拡張ユニット４０の上面には、電子カメラ１の拡張端子３０と嵌合する端子４２と、固定ネジ４３と、略Ｌ字状のフック４４とが設けられている。このフック４４を電子カメラ１側のユニット取付け穴３４に係合させるとともに、固定ネジ４３を三脚用ネジ穴３２に螺合させることで電子カメラ１の底部に拡張ユニット４０が組付けられ、電子カメラ１と拡張ユニット４０は拡張端子３０及び端子４２によって電気的に接続される。
【００４４】
また、図中拡張ユニット４０の左側面には、図示せぬ２５ピンのＳＣＳＩ端子が設けられ、パソコンやデジタルプリンタ５４とＳＣＳＩケーブルを介して直接接続が可能となっている（図５、図９参照）。
【００４５】
拡張ユニット４０の背面には、スライドスイッチ４６とディップスイッチ４８が設けられている。スライドスイッチ４６は、ＯＦＦ位置、ＳＣＳＩ位置等の切り替えに用いられ、スイッチをＯＦＦ位置に設定するとパワーセーブモードとなり、電子カメラ１側に装着される電池の消耗を抑える。即ち、電子カメラ１に拡張ユニット４０が組付けられていない状態と略同等になる。また、スライドスイッチ４６をＳＣＳＩ位置に設定するとＳＣＳＩ端子を介して接続されたパソコンやデジタルプリンタ５４とのデータの送受が有効になる。即ち、撮影した画像をパソコンに送ることができ、パソコン側で電子カメラ１の撮影操作を行うことができる。また、撮影した画像データをデジタルプリンタ５４に直接転送してプリントすることができる。
【００４６】
一方、ディップスイッチ４８は、４ポジションアップ／ダウン式のものが用いられ、４つのスイッチの組合せによってＳＣＳＩモード下における更に詳細な設定が行われる。即ち、前記スライドスイッチ４６によってＳＣＳＩモードが選択されている場合に、ディップスイッチ４８によって更にパソコン接続を有効とするＰＣ動作モードとするか、或いはプリンタ接続を有効としてプリントを可能にするプリントモードにするかの設定等が行われる。
【００４７】
図５には、図１に示したデシタルカメラと図４に示した拡張ユニットとを組み合わせたシステムの構成が示されている。電子カメラ１は撮影した画像をＮＴＳＣ等の所定の信号形式で送出する映像出力端子を有しており、該映像出力端子をアクセサリーシュー１２に取り付けられる液晶ビューファインダや液晶モニタ５０、又はテレビモニタ等の画像表示装置に接続することにより、スルー画像（動画）や撮影した画像を確認することができる。
【００４８】
また、電子カメラ１内にはメモリーカード５２が装填され、撮影した画像データは所定の形式でメモリーカード５２に記録される。記録方式には、例えば、Exifフォーマットに準拠する形式が採用され、撮影されたコマ毎にＪＰＥＧ形式で圧縮した画像データと８０×６０画素のサムネイルデータとが一組で記録される。更に、前記画像データと併せて画像データのタグ情報及び本発明に係るプリント範囲を示す枠の情報が記録される。
【００４９】
メモリーカード５２には、ＰＣカード、又はＰＣカードアダプタによってＰＣカードと互換性を有して使用できるスマートメディア（ＳＳＦＤＣ）が用いられる。メモリーカード５２は電子カメラ１から取り出し可能であり、ＰＣカードスロットを有するノートパソコンや、ＰＣカードリーダに挿入することができ、画像データを種々の機器において利用することができる。
【００５０】
電子カメラ１の底面に組付けられた拡張ユニット４０はＳＣＳＩケーブルによってデジタルプリンタ５４と直接接続が可能である。デジタルプリンタ５４と拡張ユニット４０との間では双方向通信が行われ、接続されたデジタルプリンタ５４からはプリンタの機種、用紙サイズ等に関する情報が拡張ユニット４０側に送られる。
【００５１】
図６はそれぞれ各種の証明写真のプリントサイズと同じサイズの枠がモニタに表示された状態を示す図であり、図６（Ａ）、図６（Ｂ）、図６（Ｃ）及び図６（Ｄ）はそれぞれビザ用枠、パスポート用枠、履歴書用枠及び自動車運転免許用枠を示している。また、図７は画像上に履歴書用枠（白枠）が合成された状態を示すモニタの表示画面を示す図である。
【００５２】
図８はサイズ切替えボタン１４等の操作に基づく液晶表示パネル１３の表示内容を示す図である。サイズ切替えボタン１４は、前述したように各種の証明写真のプリントサイズの設定及び切替えを行うものであり、ワンプッシュするごとに「ＯＦＦ」→「Ａサイズ（ビザ用証明写真）」→「Ｂサイズ（パスポート用証明写真）」→「Ｃサイズ（履歴書用証明写真）」→「Ｄサイズ（自動車運転免許用証明写真）」→「ＯＦＦ」となるようにプリントサイズを切り替える。
【００５３】
尚、ビザ用証明写真のプリントサイズは５０ｍｍ×５０ｍｍ（縦横のアスペクト比＝１：１）、パスポート用証明写真のプリントサイズは４５ｍｍ×３５（アスペクト比＝９：７）、履歴書用証明写真のプリントサイズは４０ｍｍ×３０（アスペクト比＝４：３）、自動車運転免許用証明写真のプリントサイズは３０ｍｍ×２４（アスペクト比＝５：４）である。
【００５４】
また、図８に示した液晶表示パネル１３上でセグメント表示されている「Ａ」「ｂ」、「ｃ」及び「ｄ」は、それぞれＡサイズ、Ｂサイズ、Ｃサイズ及びＤサイズが指定されていることを示し、また、セグメント表示されている「２」は、前述したシーン数切替えボタン２４によって２シーンプリントが設定されていることを示す。
【００５５】
図９は、上記電子カメラ等の内部構成の実施の形態を示すブロック図である。
【００５６】
この電子カメラ１は、主として撮影レンズ２、ＣＣＤ５６、アナログデコーダ５７、Ａ／Ｄコンバータ５８、カードインターフェース（カードＩ／Ｆ）６０、ＳＣＳＩ・Ｉ／Ｆ６２、中央処理装置（ＣＰＵ）６４、ワークメモリ６８、フレームメモリコントローラ７０、圧縮／伸長エンジン７２、デジタルエンコーダ７６、フレームメモリ７８、及び操作部８０等から構成されている。尚、ＳＣＳＩ・Ｉ／Ｆ６２は、拡張ユニット４０側に設けられている。
【００５７】
被写体からの光は、撮影レンズ２によってＣＣＤ５６の受光面に結像される。ＣＣＤ５６には、例えば、２／３インチ１４０万画素のものが用いられ、該ＣＣＤ５６の受光面に結像された画像光は、Ｒ、Ｇ、Ｂフィルタを有する各センサで所定時間電荷蓄積され、光の強さに応じた量のＲ、Ｇ、Ｂ信号に変換される。
【００５８】
このＲ、Ｇ、Ｂ信号はアナログデコーダ５７に導かれ、ここでＲ、Ｇ、Ｂ信号のゲイン等が制御される。アナログデコータ５７から出力されるＲ、Ｇ、Ｂ信号は、Ａ／Ｄコンバータ５８によってデジタル信号（Ｒ、Ｇ、Ｂデータ）に変換された後、このＲ、Ｇ、Ｂデータは、Ｙ／Ｃ変換処理によりＹ／Ｃデータ（輝度信号Ｙとクロマ信号Ｃ）に変換され、フレームメモリコントローラ７０を介してフレームメモリ７８に格納される。
【００５９】
圧縮／伸長エンジン７２は、ＣＰＵ６４から圧縮コマンドが送られると、フレームメモリ７８上のＹ／Ｃデータを圧縮し、その圧縮データをカードＩ／Ｆ６０を介してメモリカード５２に出力する。これにより圧縮データがメモリカード５２に記録される。また、メモリカード５２に記録された圧縮データを再生する場合には、前記圧縮／伸長エンジン７２は、メモリカード５２から読み出された圧縮データを伸長処理し、この伸長処理したＹ／Ｃデータをフレームメモリ７８に展開する。
【００６０】
デジタルエンコーダ７６は、フレームメモリ７８からフレームメモリコントローラ７０を介してＹ／Ｃデータが加えられており、この入力するＹ／Ｃデータに基づいて例えばＮＴＳＣ方式のカラー複合映像信号を生成し、これを映像出力端子８２に出力する。
【００６１】
オンスクリーンデバイス（ＯＳＤ）コントローラ７４は、ＣＰＵ６４からのコマンドに基づいて本発明に係る各種の枠を示す枠信号や文字等を示すキャラクタ信号を発生し、これをデジタルエンコーダ７６から出力される映像信号に混合させる。
【００６２】
また、ＣＰＵ６４は、プリントモード時にはフレームメモリ７８に格納されたＹ／ＣデータをＲ、Ｇ、Ｂデータに変換し、ワークメモリ６８に格納する。そして、このＲ、Ｇ、ＢデータをＳＣＳＩ・Ｉ／Ｆ６２を介してデジタルプリンタ５４に転送する。尚、ＲＯＭ６６には、制御プログラム及び各プリンタの機種に応じた色補正用ルックアップテーブル（ＬＵＴ）が格納されている。
【００６３】
更に、後述する証明写真の撮影プリント又は再生プリントのモード時には、前記フレームメモリ７８に格納されたＹ／Ｃデータのうち、選択された証明写真を示す枠内の画像に対応するＹ／ＣデータのみをＲ、Ｇ、Ｂデータに変換してワークメモリ６８に格納し、証明写真のプリントサイズと同じサイズでプリントされるように前記Ｒ、Ｇ、Ｂデータの画素数を補間処理等によって調整し、これにより、証明写真プリント用のＲ、Ｇ、Ｂデータをデジタルプリンタ５４に転送する。
【００６４】
次に、上記の如く構成された電子カメラの作用について説明する。
【００６５】
ＣＰＵ６４は、電子カメラ１を統括制御するもので、シャッタボタン９、モードダイヤル１０、アップ／ダウンダイヤル１１、サイズ切替えボタン１４、プリントボタン１６等を含む操作部８０からの各種のスイッチ入力に基づいて通常の撮影モード、撮影プリントモード、再生プリントモード等を判別し、各モードに応じて各回路を制御する。
【００６６】
ここで、撮影モードは、撮影したカラー画像データをメモリカード５２に記録するモードであり、電子カメラ１のモードダイヤル１０を「ＡＵＴＯ」、「Ｐ」、「Ｓ」、「Ａ」、「Ｍ」のうちの何れかに合わせ、また拡張ユニット４０を電子カメラ１に接続しない場合、又は拡張ユニット４０のスライドスイッチ４６をＳＣＳＩ位置に切り替えない場合に設定されるモードである。
【００６７】
撮影プリントモードは、撮影した画像をＳＣＳＩ接続されたデジタルプリンタ５４に直ちにプリントするモードであり、電子カメラ１のモードダイヤル１０を「ＡＵＴＯ」、「Ｐ」、「Ｓ」、「Ａ」、「Ｍ」のうちの何れかに合わせ、また拡張ユニット４０のスライドスイッチ４６をＳＣＳＩ位置に切り替え、更にディップスイッチ４８によりＳＣＳＩモード下でプリンタ接続を有効とすることを選択した場合に設定されるモードである。
【００６８】
また、再生プリントモードは、再生した画像をＳＣＳＩ接続されたデジタルプリンタ５４にプリントするモードであり、電子カメラ１のモードダイヤル１０を「ＰＬＡＹ」に合わせ、また拡張ユニット４０のスライドスイッチ４６をＳＣＳＩ位置に切り替え、更にディップスイッチ４８によりＳＣＳＩモード下でプリンタ接続を有効することを選択した場合に設定されるモードである。
【００６９】
次に、電子カメラ１が撮影モードに設定され、かつサイズ切替えボタン１４によって証明写真を撮影する撮影モードに切り替えられた場合の処理動作について、図１０に示すフローチャートを参照しながら説明する。
【００７０】
まず、サイズ切替えボタン１４のボタン操作により証明写真の種類を選択する（ステップＳ１０）。次のステップＳ１２では、上記ステップＳ１０で選択された証明写真の種類に応じて４つのステップＳ１４、Ｓ１６、Ｓ１８、Ｓ２０のうちのいずれかに分岐させる。即ち、ビザ用証明写真が選択されるとステップＳ１４に移行し、パスポート用証明写真が選択されるとステップＳ１６に移行し、履歴書用証明写真が選択されるとステップＳ１８に移行し、自動車運転免許用証明写真が選択されるとステップＳ２０に移行する。
【００７１】
ステップＳ１４では、ＣＰＵ６４からのコマンドによりＯＳＤコントローラ７４からはビザ用枠を示す枠信号が発生され、この枠信号がデジタルエンコーダ７６から出力される映像信号に混合される。これにより、ビザ用枠が合成された映像信号が映像出力端子８２を介して液晶モニタ５０（図５参照）にムービー出力される。
【００７２】
同様にして、ステップＳ１６ではパスポート用枠を示す枠信号が映像信号に混合されてパスポート用枠が合成された映像信号がムービー出力され、ステップＳ１８では、履歴書用枠を示す枠信号が映像信号に混合されて履歴書用枠が合成された映像信号がムービー出力され、ステップＳ２０では、自動車運転免許用枠を示す枠信号が映像信号に混合されて自動車運転免許用枠が合成された映像信号がムービー出力される。尚、ＯＳＤコントローラ７４は、図６及び図７に示すようにカメラを横に構えた状態で撮影された画像に対して枠が縦長となるように枠信号を発生している。
【００７３】
次に、シャッタボタン９がＯＮされたか否かを判別する（ステップＳ２２）。シャッタボタン９がＯＮされない場合にはステップＳ１０に戻り、証明写真用の枠が合成された画像が液晶モニタ５０に引き続き表示される。従って、この枠合成された画像を見ながら証明写真の種類を再度選択したり、適切な大きさの被写体が枠内に入るように光学ズームさせ、構図を決めることができる。
【００７４】
ここで、シャッタボタン９がＯＮされると、ＣＣＤ５６より記録用のＲ、Ｇ、Ｂデータの取り込みが行われ（ステップＳ２４）、このＲ、Ｇ、ＢデータはＹ／Ｃデータに変換されてフレームメモリ７８に格納される（ステップＳ２６）。フレームメモリ７８に格納されたＹ／Ｃデータは、圧縮／伸長エンジン７２により圧縮され（ステップＳ２８）、この圧縮データはメモリカード５２に記録される（ステップＳ３０）。
【００７５】
また、上記圧縮データ（画像データ）のタグをメモリカード５２に記録し、この際に証明写真用の枠の情報（例えば、証明写真の種類や、枠のサイズ、画面上の枠の位置等）も併せて記録する（ステップＳ３２）。即ち、メモリカード５２には、証明写真の撮影か否かにかかわらず、枠のない被写体像の全範囲を示す画像データが記録され、証明写真の撮影の場合にはその証明写真用の枠の情報が記録される。
【００７６】
次に、電子カメラ１が撮影プリントモードに設定された場合の処理動作について、図１１に示すフローチャートを参照しながら説明する。尚、図１０に示した撮影モードと共通する処理には、同一のステップ番号を付し、その詳細な説明は省略する。
【００７７】
前記撮影モードでは画像データをメモリカード５２に記録するが、この撮影プリントモードでは画像データをプリント出力する点で相違している。
【００７８】
即ち、ステップＳ２６でＹ／Ｃデータに変換し、該Ｙ／Ｃデータをフレームメモリ７８に格納した後、フレームメモリ７８に格納されたＹ／Ｃデータのうち、ステップＳ１０で選択された証明写真を示す枠内の画像に対応するＹ／ＣデータのみをＲ、Ｇ、Ｂデータに変換してワークメモリ６８に格納する（ステップＳ４０）。
【００７９】
続いて、選択された証明写真のプリントサイズと同じサイズでプリントされるようにＲ、Ｇ、Ｂデータの画素数を補間処理、間引き処理等によって調整し、証明写真プリント用のＲ、Ｇ、Ｂデータをデジタルプリンタ５４に転送する（ステップＳ４２）。次いで、デジタルプリンタ５４にプリント実行を指示する（ステップＳ５０）。これにより、デジタルプリンタ５４により選択された証明写真のプリントサイズと同じサイズの証明写真がプリントされる。
【００８０】
次に、電子カメラ１が再生プリントモードに設定された場合の処理動作について、図１２に示すフローチャートを参照しながら説明する。尚、図１０に示した撮影プリントモードと共通する処理には、同一のステップ番号を付し、その詳細な説明は省略する。
【００８１】
前記撮影プリントモードでは撮影時に取得した画像データを直ちにプリント出力するが、この再生プリントモードではメモリカード５２から読み出した画像データをプリント出力する点で相違している。
【００８２】
即ち、メモリカード５２から圧縮データ（画像データ）を取り込み（ステップＳ５０）、取り込んだ圧縮データを圧縮／伸長エンジン７２により伸長処理し、この伸長処理したＹ／Ｃデータをフレームメモリ７８に展開する（ステップＳ５２）。尚、再生開始時には、メモリカード５２から最新の圧縮データを取り込む。
【００８３】
続いて、前記取り込んだ圧縮データと関連付けて記録された証明写真の枠の情報に基づいてその証明写真用の枠が合成された映像信号が映像出力端子８２を介して液晶モニタ５０に出力される（ステップＳ１２〜Ｓ２０）。
【００８４】
これにより、証明写真の撮影モードが選択されて撮影記録された画像データは、証明写真用の枠が合成された画像として液晶モニタ５０に表示される。
【００８５】
その後、ステップＳ６０では、別の画像を選択するか否かが判別される。別の画像を選択するか否かは、アップ／ダウンダイヤル１１の操作に基づいて判別され、アップ／ダウンダイヤル１１が操作されると、その操作に応じてステップＳ５０で別の圧縮データが取り込まれ、これにより再生画像のコマ送りが行われる。
【００８６】
ステップＳ６２では現在再生中の画像に対して選択されている証明写真の種類を変更するか否かを判別し、証明写真の種類を変更する場合には、サイズ切替えボタン１４を操作して証明写真の種類を選択し（ステップＳ６４）、ステップＳ１２に戻る。これにより、新たに選択された証明写真用の枠が合成された画像が液晶モニタ５０に表示される。
【００８７】
一方、現在再生中の画像に対して選択されている証明写真の種類を変更しない場合には、現在再生中の画像に合成されている枠の位置を調整するか否かを判別する（ステップＳ６６）。
【００８８】
枠の位置を調整する場合には、セットボタン２４を押しながらアップ／ダウンダイヤル１１を回すことにより枠を上下に移動させる移動指令を出力し、又はシャッタボタン９を押しながらアップ／ダウンダイヤル１１を回すことにより枠を左右に移動させる移動指令を出力し（ステップＳ６８）、ステップＳ１２に戻る。ＯＳＤコントローラ７４は、ＣＰＵ６４を介して上記枠の移動指令を入力すると、その移動指令に応じて枠を移動させるべく枠信号を発生する。これにより枠の位置を調整することができる。
【００８９】
枠の位置を調整しない場合又は調整が終了すると、現在再生中の画像に合成されている枠のサイズを調整するか否かを判別する（ステップＳ７０）。
【００９０】
枠のサイズを調整する場合には、ズームレバー２０を上又は下方向に操作することにより枠を小さく又は大きくさせる指令を出力し（ステップＳ７２）、ステップＳ１２に戻る。ＯＳＤコントローラ７４は、ＣＰＵ６４を介して上記枠サイズを調整する指令を入力すると、その指令に応じて枠を小さく又は大きくさせるべく枠信号を発生する。これにより枠サイズを調整することができる。
【００９１】
次に、枠サイズを調整しない場合又は調整が終了すると、プリント指示があるか否かが判別される（ステップＳ７４）。このプリント指示は、プリントボタン１６の操作によって行われる。
【００９２】
そして、プリント指示入力があると、図１１で説明したステップＳ４０、４２、４４の処理を実行する。
【００９３】
ここで、ステップＳ４０では、フレームメモリ７８に格納されたＹ／Ｃデータのうち、選択された証明写真を示す枠内の画像に対応するＹ／ＣデータのみをＲ、Ｇ、Ｂデータに変換してワークメモリ６８に格納するが、ステップＳ６８又はステップＳ７２によって枠位置又は枠サイズが調整されている場合には、その調整された枠位置、枠サイズに対応したＹ／ＣデータのみをＲ、Ｇ、Ｂデータに変換してワークメモリ６８に格納する（ステップＳ４０）。
【００９４】
続いて、選択された証明写真のプリントサイズと同じサイズでプリントされるようにＲ、Ｇ、Ｂデータの画素数を補間処理、間引き処理等によって調整し、証明写真プリント用のＲ、Ｇ、Ｂデータをデジタルプリンタ５４に転送する（ステップＳ４２）。次いで、デジタルプリンタ５４にプリント実行を指示する（ステップＳ５０）。これにより、デジタルプリンタ５４により選択された証明写真のプリントサイズと同じサイズの証明写真がプリントされる。
【００９５】
尚、この実施の形態では、再生画像に対して枠の位置やサイズを調整するようにしたが、これに限らず、再生画像を画面上で移動させ又は画像を電子ズームさせるようにしてもよい。また、この実施の形態では、電子カメラにモニタが外付けできるように構成されているが、これに限らず、モニタが一体的に設けられた電子カメラでもよく、更にプリンタもカメラに内蔵されたものでもよい。
【００９６】
更に、証明写真の種類はこの実施の形態の４種類に限定されない。また、枠も白枠に限らず、種々のものが考えられ、例えば、枠内と枠外とで濃度を異ならせた枠や、カラーと白黒で区別された枠でもよい。
【００９７】
【発明の効果】
以上説明したように本発明によれば、プリント範囲を示す枠が適宜指定されると、その指定された枠を被写体像に重ねてモニタに表示させるようにしたため、撮影前にプリント範囲を明確に認識することができ、これによりプリント範囲に合った適切な構図等の設定ができ、同様にプリント前にプリント範囲を明確に知らせることもできる。
【００９８】
また、プリント範囲の設定にかかわらず、プリント範囲を示す枠のない被写体像の全範囲の画像信号を記録メディアに記録するとともに、指定された枠の情報を記録するようにしたため、この枠の情報を用いてプリント範囲内の画像のみをプリント出力することができ、更に撮影時に設定したプリント範囲にかかわらず、プリント位置やサイズを適宜設定又は調整したプリント範囲内の画像のみをプリント出力することができる。
【００９９】
また、プリント範囲内の画像のみが所定の大きさの画像としてプリントされるようにプリント出力するようにしたため、例えば、プリントサイズ及びアスペクト比が指定されている証明写真をプリントする場合に有利である。この場合、プリントされた写真をそのプリントされた範囲に沿ってカットすることにより所望のアスペクト比及び大きさの証明写真を得ることができる。
【０１００】
更にモニタに表示される証明写真用の枠は、カメラを横に構えた状態で縦長となるように表示され、カメラを横に構えたまま証明写真用の撮影を行うことができ、特に縦位置に構えることが難しい大型のカメラに有利である。
【図面の簡単な説明】
【図１】本発明に係る電子カメラの実施の形態を示す外観斜視図
【図２】図１に示した電子カメラの背面斜視図
【図３】図１に示した電子カメラの底面斜視図
【図４】拡張ユニットの外観斜視図
【図５】図１に示した電子カメラと該電子カメラと接続される機器とを組み合わせたシステムの構成図
【図６】各種の証明写真のプリントサイズと同じサイズの枠がモニタに表示された状態を示す図
【図７】画像上に履歴書用枠が合成された状態を示すモニタの表示画面を示す図
【図８】サイズ切替えボタン等の操作に基づく液晶表示パネルの表示内容を示す図
【図９】電子カメラ等の内部構成の実施の形態を示すブロック図
【図１０】撮影モード時の処理動作を説明するために用いたフローチャート
【図１１】撮影プリントモード時の処理動作を説明するために用いたフローチャート
【図１２】再生プリントモード時の処理動作を説明するために用いたフローチャート
【符号の説明】
１…電子カメラ、２…撮影レンズ、９…シャッタボタン、１１…アップ／ダウンダイヤル、１４…サイズ切替えボタン、１６…プリントボタン、２０…ズームレバー、４０…拡張ユニット、５２…メモリーカード、５４…デジタルプリンタ、５６…ＣＣＤ、６０…カードＩ／Ｆ、６２…ＳＣＳＩ・Ｉ／Ｆ、６４…ＣＰＵ、６８…ワークメモリ、７０…フレームメモリコントローラ、７２…圧縮／伸長エンジン、７６…デジタルエンコーダ、７８…フレームメモリ、８０…操作部、８２…映像出力端子
【図１】
0004161471.tif 000002
【図２】
0004161471.tif 000003
【図３】
0004161471.tif 000004
【図４】
0004161471.tif 000005
【図５】
0004161471.tif 000006
【図６】
0004161471.tif 000007
【図７】
0004161471.tif 000008
【図８】
0004161471.tif 000009
【図９】
0004161471.tif 000010
【図１０】
0004161471.tif 000011
【図１１】
0004161471.tif 000012
【図１２】
0004161471.tif 000013